(57)【特許請求の範囲】
【請求項１】
それぞれ枠体状に形成した両端の框とその間に配置された複数の縦桟をパンタグラフ状に組んだ複数のリンク材によって連結し、これらリンク材を連結する回動軸の一部を上記框及び縦桟のガイド溝に係合させ、そのうちの１本を固定して固定回動軸とし、他をスライド自在に係合するスライド回動軸とするとともに、上記ガイド溝に係合しない回動軸をフリーの回動軸とした伸縮門扉本体を次の順序で組み立てることを特徴とする伸縮門扉本体の組み立て方法。
（イ）上記両端の框及び縦桟の一側の框材及び縦桟材を所定の数だけガイド溝を上にして横に並べる。
（ロ）上記框材及び縦桟材のガイド溝上にスライド回動軸と固定回動軸を垂直に立てる。
（ハ）上記スライド回動軸及び固定回動軸にそれぞれ一方のリンク材を貫通させるとともに、リンク材にフリーの回動軸の一端を貫通させて立てる。
（ニ）上記スライド回動軸、固定回動軸及びフリーの回動軸に、それぞれ他方のリンク材を取り付ける。
（ホ）上記スライド回動軸及び固定回動軸を、他側の框材及び縦桟材のガイド溝に係合さて取り付ける。
（ヘ）両側の框材及び縦桟材を連結材を介して連結し、固定回動軸を固定する。
【発明の詳細な説明】
【０００１】
【発明の属する技術分野】
本発明は、吊元柱と戸当り柱との間に配置され、伸縮によって開閉する伸縮門扉本体の組み立て方法に関する。
【０００２】
【従来技術】
この種の伸縮門扉は、門扉を構成するリンク材をパンタグラフ状に組み、その伸縮によって門柱間の開口部を開閉するもので、キャスター、落し棒、ハンドルなどを備えているが、門扉本体は、基本的にはそれぞれ枠体状に形成された両端の框及びその間に配置された複数の縦桟と、パンタグラフ状に組んだ複数のリンク材と、異なる斜め方向のリンク材の交わり部を連結する回動軸とから構成される。そして、一部の回動軸は上記框と縦桟に上下にスライド自在に取り付けられている。
【０００３】
上記伸縮門扉本体は、従来はまず複数のリンク材と回動軸とをパンタグラフ状に組んでユニット化して立て、回動軸を垂直線上に列設した状態で、上端の回動軸の端部の上に一側の框材や縦桟材を垂直に配置し、上記回動軸の端部を上記框材や縦桟材の長手方向に形成されたガイド溝に嵌めて下方にスライドさせ、さらに両側の縦材と縦桟材を連結するという方式によって組み立てられていた。
【０００４】
【発明が解決しようとする課題】
しかしながら、このような組み立て方式によれば、パンタグラフ状に組んだリンク材を立てて回動軸が列状に揃うように保持する手段や、その上から垂直に框材や桟材を回動軸をスライドさせながら降ろしてくる手段や、スライドした框材や桟材を固定しておく手段など、部品組立のために多くの部材が必要となるばかりでなく、作業が複雑で、大きな作業スペースが必要となるため、製造コストが高くならざるを得なかった。
【０００５】
本発明は上記欠点を解消し、簡単な作業で、しかも小さなスペースでも組み立てることができる伸縮門扉本体の組み立て方法を提供することをその課題とする。
【０００６】
【課題を解決するための手段】
前記課題を解決するため、本発明に係る伸縮門扉本体の組み立て方法は、それぞれ枠体状に形成した両端の框とその間に配置された複数の縦桟をパンタグラフ状に組んだ複数のリンク材によって連結し、これらリンク材を連結する回動軸の一部を上記框及び縦桟のガイド溝に係合させ、そのうちの１本を固定して固定回動軸とし、他をスライド自在に係合するスライド回動軸とするとともに、上記ガイド溝に係合しない回動軸をフリーの回動軸とした伸縮門扉本体を次の順序で組み立てることを特徴とする伸縮門扉本体の組み立て方法。
（イ）上記両端の框及び縦桟の一側の框材及び縦桟材を所定の数だけガイド溝を上にして横に並べる。
（ロ）上記框材及び縦桟材のガイド溝上にスライド回動軸と固定回動軸を垂直に立てる。
（ハ）上記スライド回動軸及び固定回動軸にそれぞれ一方のリンク材を貫通させるとともに、リンク材にフリーの回動軸の一端を貫通させて立てる。
（ニ）上記スライド回動軸、固定回動軸及びフリーの回動軸に、それぞれ他方のリンク材を取り付ける。
（ホ）上記スライド回動軸及び固定回動軸を、他側の框材及び縦桟材のガイド溝に係合させて取り付ける。
（ヘ）両側の框材及び縦桟材を連結材を介して連結し、固定回動軸を固定する。
【０００７】
【発明の実施の形態】
図１は本発明に係る伸縮門扉を示すもので、伸縮自在な門扉１を吊元柱２と戸当り柱３との間に配置して成る。門扉１は門扉本体ａにハンドル４、錠５、キャスター６等を設けたもので、門扉本体ａは、両端の吊元框７と戸当り框８との間に複数の縦桟９を配し、これらの框７、８と縦桟９を左右両側の框材７ａ、７ｂ、８ａ、８ｂ及び縦桟材９ａと連結材１０とにより細長枠状に形成するとともに、内側の開口部にパンタグラフ状に組んだ複数のリンク材１１ａ、１１ｂを配置し、方向の異なる斜めのリンク材１１、１１ｂの交わり部を回動軸１２を介して連結することにより構成されている。回動軸１２は上下の列に対応するものを１列おきに、その両端部を図９に示されるように上記吊元框７と戸当り框８と縦桟９の長手方向に沿って形成されたガイド溝１３（図３参照）にスライド自在に係合させたものである（図２の四角で示した部分に位置している）。これらの回動軸１２をスライド回動軸とする。ガイド溝１３に係合しない他の回動軸１２はフリーの回動軸である（同図の三角で示した部分に位置する）。但し、ガイド溝１３に係合したスライド回動軸のうち中央の回動軸は吊元框７と戸当り框８と縦桟９に固定され、固定回動軸１２ｂ（同図の円で示した部分に位置する）はスライドしないように構成されている（図９（ｆ）  参照）。これにより、門扉本体ａは、上記固定軸を除く回動軸１２が吊元框７と戸当り框８と縦桟９のガイド溝３に沿って上下方向にスライドしながら伸縮する。なお、同図の六角で示したものは、１本のリンク材１１の端部の回動軸１２を上記ガイド溝１３にスライド自在に係合させた部分である。
【０００８】
次に、上記伸縮門扉本体ａの組み立て方法について説明すると、この方法の特徴は、基本的には伸縮門扉本体を横置した状態において最下部の構成部材から順に上に向かって組み立てる点にある。
【０００９】
具体的な作業手順を次に示す。
（イ）  図３に示すように、上記両端の吊元框７と戸当り框８及び中間の縦桟９の一側の框材７ａ、８ａ及び縦桟材９ａを所定の数だけ横に並べる。上記框７、８及び縦桟９は、上述のように、左右１対の框材７ａ、８ａ及び縦桟材９ａを連結材１０によって連結して細長枠状に形成したものである。ここでは左右一方の框材７ａ、８ａと縦桟材９ａを横に並べるのである。各框材７ａ、８ａ及び縦桟材９ａにはその長手方向に沿ってガイド溝１３が形成されており、ガイド溝１３を上に向けて置く。
（ロ）  次に、図４及び図９（ｂ）  に示すように、上記框材７ａ、８ａ及び縦桟材９ａの上にスライド回動軸１２ａと固定回動軸１２ｂを垂直に立てる。その際、スライド回動軸１２ａの一端を上記框材７ａ、８ａ及び縦桟材９ａのガイド溝１３に沿ってスライド自在に取り付け、垂直に立てておく。固定回動軸１２ｂの端部は図９（ａ）  に示すように、直接に上記框材７ａ、８ａ及び縦桟材９ａの上に立ててリベット１４で止着固定する。
なお、図９（ａ）  〜（ｆ）  には縦桟９の例のみを示したが、框材７ａ、８ａについても同じであるので、図示は省略した。
（ハ）  次に、図５及び図９（ｂ）  に示すように、上記スライド回動軸１２ａと固定回動軸１２ｂに一方のリンク材１１ａを貫通させる。その際、図６及び図９（ｃ）  に示すように、スライド回動軸１２ａと固定回動軸１２ｂの上にブッシュ１５を嵌挿する。同様に、図６に示すように、上記のリンク材１１ａの、上記框材７ａ、８ａと縦桟材９ａ及び縦桟材９ａと縦桟材９ａとの間にはフリーの回動軸１２ｃの一端を貫通させて立てる。なお、同図にはフリーの回動軸１２ｃは中央のもののみを示したが、他も同様である。
（ニ）  その後、図７及び図９（ｄ）  に示すように、上記スライド回動軸１２ａ、固定回動軸１２ｂ及びフリーの回動軸１２ｃに他方のリンク材１１ｂを貫通させて取り付ける。
（ホ）  さらに、図８及び図９（ｅ）  に示されるように、他側の框材７ｂ、８ｂ及び縦桟材９ｂの端部からガイド溝１３に沿ってスライドさせてスライドブロック１６を取り付けておき、各スライドブロック１６にスライド回動軸１２ａ及び固定回動軸１２ｂを取り付ける。なお、フリーの回動軸１２ｃの中央部は大径に形成されているから、スライドブロック１６を入れる必要はない。フリーの回動軸１２ｃには抜け止めを取り付ける。
（ヘ）  最後に、両側の框材７ａ、７ｂ、８ａ、８ｂ及び縦桟材９ａ、９ｂを連結材（図１に符号１０で示す）を介して連結し、固定回動軸１２ｂの他方の端部をリベット１４で固定する。
【００１０】
上記工程により、戸当り框８、吊元框７、縦桟９が形成され、その間にリンク材１１がパンタグラフ状に配置され、一部の回動軸１２は上記框７、８と縦桟９にスライド自在に係合するので、この門扉本体ａにハンドル４、錠５、キャスター６、落し棒等を取り付けて垂直に起こせば門扉１が完成する。
【００１１】
【発明の効果】
請求項１に係る組み立て方法によれば、框材や縦桟材などの構成部材を横に並べた状態で組み立てることができるので、垂直方向に門扉本体ａの構成部材を上げたり下げたりする必要がなく、作業が簡単で、楽である。また、上記構成部材を保持する手段は最少で済み、門扉本体を縮んだ状態で組み上げることができるので、作業スペースは小さくてもよい。したがって、門扉本体を低コストで製作することができる。
【図面の簡単な説明】
【図１】伸縮門扉１の斜視図
【図２】門扉本体の一部の正面図
【図３】門扉本体の組み立て態様説明図
【図４】門扉本体の組み立て態様説明図
【図５】門扉本体の組み立て態様説明図
【図６】門扉本体の組み立て態様説明図
【図７】門扉本体の組み立て態様説明図
【図８】門扉本体の組み立て態様説明図
【図９】（ａ）  〜（ｅ）  は固定回動軸の組み立て態様説明図
【符号の説明】
ａ  門扉本体
７  吊元框
７ａ、７ｂ  框材
８  戸当り框
８ａ、８ｂ  框材
９  縦桟
９ａ、９ｂ  縦桟材
１１ａ、１１ｂ  リンク材
１２ａ  スライド回動軸
１２ｂ  固定回動軸
１２ｃ  フリーの回動軸
【図１】
0003615109.tif 000002
【図２】
0003615109.tif 000003
【図３】
0003615109.tif 000004
【図４】
0003615109.tif 000005
【図５】
0003615109.tif 000006
【図６】
0003615109.tif 000007
【図７】
0003615109.tif 000008
【図８】
0003615109.tif 000009
【図９】
0003615109.tif 000010